(57)【要約】      （修正有）【課題】水気のある環境や酸性またはアルカリ性の環境の下で使用することが可能でユーザーが夜間作動状態を裸眼で観察できる防水性と透光性を有する情報装置を提供する。【解決手段】コネクターと防水機構と外層により防水性を形成し、端子の防水カバーとコネクターと外層とを嵌り合わせることで浸水防止の機能を提供し、水気のある環境や酸性またはアルカリ性の環境の下で使用することを可能にして、また透明性と透光性を有し、防水性を形成する防水機構により光線ルートを誘導することで光線表示を誘導し、ユーザーに夜間作動状態を裸眼で観察させる。【選択図】    図１
2006059367.tif 000002
【特許請求の範囲】
【請求項１】
端子に接続する差し込み部、および差し込み部まで延びて形成される接続ユニットを有し、前記接続ユニットが端子に接続して導通することで伝送信号を提供可能なコネクターと、
コネクターに固定され、接続ユニットに接続する回路を有し、かつ情報を保存可能な特性を有する電器ユニットと、
コネクターを被覆して電器ユニットの位置に接し、かつコネクターと接続ユニットと電器ユニットとの間の隙間を塞ぐ防水機構と、
防水ユニットを被覆し、かつコネクターにおける適当な位置まで延びて電器ユニット全体を被覆する外層と、
を備えることを特徴とする防水性と透光性を有する情報装置。
【請求項２】
コネクターはＵＳＢであることを特徴とする請求項１に記載の防水性と透光性を有する情報装置。
【請求項３】
防水機構は熱伝導遮断性の材質から形成され、かつ本体から延びて内膜層を形成することで電器ユニットを被覆することを特徴とする請求項１に記載の防水性と透光性を有する情報装置。
【請求項４】
電器ユニットは作動状態を表示可能な発光ユニットを有し、防水機構は透明な材料から形成され、本体から延びて電器ユニットを被覆し、外層は適当な位置に透光ユニットを有し、透光ユニットは防水機構に接し、発光ユニットからの光源を誘導して外側へ伝送することでユーザーに電器ユニットの作動状態を確認可能とすることを特徴とする請求項３に記載の防水性と透光性を有する情報装置。
【請求項５】
防水カバーは端子の外周を被覆し、かつ外層周囲面に接合するように被せる延長部を有し、延長部および外層はそれぞれ接合箇所に水隔絶部位を有し、嵌り合わせることで浸水を隔絶可能な構造を構成することを特徴とする請求項１に記載の防水性と透光性を有する情報装置。
【請求項６】
外層は、かけて携帯するための孔を有することを特徴とする請求項１に記載の防水性と透光性を有する情報装置。
【請求項７】
コネクターは耐食性の金属カバーを有し、外周を被覆していることを特徴とする請求項１に記載の防水性と透光性を有する情報装置。
【発明の詳細な説明】
【技術分野】
【０００１】
本発明は情報装置に関し、詳しく言えば携帯用の情報保存または送信の器具として防水性を有し、光線表示の誘導を可能にしてかつ水気のある環境の使用に適合し、光線表示により使用状況を観察可能にする防水性と透光性を有する情報装置に関するものである。
【背景技術】
【０００２】
一般の市販の情報保存器具は種類が様々であり、例えばフロッピーディスク、ハードディスクドライバー及び外接式無線装置などのような情報送信器具がある。しかし、これらの資料保存または送信のユニットは殆ど水気を避けなければならない。これは水気に接触すると機能を失う恐れがあるからである。特に長時間または長期で保存する必要がある場合、情報保存または送信器具が水気を受けて故障することを避けるために、様々な方法で保存したり乾燥または除湿設備の下で置いたりする必要がある。
【０００３】
ところが、使用環境は必ずしも上述の乾燥または除湿状態の下ではない。特に現今の電子設備またはコンピューター設備などは様々な機械及び装備に汎用されている。かつこれらは通常様々な場所または環境の下で使用される。特に高湿や酸性またはアルカリ性の腐蝕液体か気体などに接触する劣悪な環境下で使用されることもある。したがって、戸外または特に劣悪な環境下で情報保存または送信器具を使用する場合、水気、酸性またはアルカリ性の湿気などの防止対策が整わないと情報保存または送信器具を故障させやすくなり、電子設備またはコンピューター設備に深刻な影響を与えるため、重大な被害がでる可能性がある。
【０００４】
また情報保存または送信器具を、暗いまたは広い地区や水源区域のある戸外などに所在する電子設備またまたはコンピューター設備に接続させて使用する場合もあるため、ユーザーは電子設備またはコンピューターに接続している情報保存または送信器具が使用状態か停止状態かを離れたところからはやく知りたくても、近づいて近距離で直接観察するほかない。特に夜間または広い戸外である場合、時間を無駄にするか観察しにくいという欠点があるため、ほかの補助光源にたよるか近づいて観察する必要がある。すると使用上の不都合がある。したがって、上述の欠点に鑑みて改善の余地がある。
【発明の開示】
【発明が解決しようとする課題】
【０００５】
本発明の目的は、従来の技術の欠点を改善するために情報保存または送信器具として戸外または水中に使用することを可能にして、かつ酸性またはアルカリ性の高湿腐蝕または暗い環境下の使用に適合するように全体構造の改良を積極的に加え、かつ多元的な場所と方法でも使用しやすく、観察が容易である防水性と透光性を有する情報装置を提供することにある。
本発明のもう一つの目的は、防水性を有するほかに夜間作動状態を裸眼で観察することが可能である防水性と透光性を有する情報装置を提供することにある。
【課題を解決するための手段】
【０００６】
本発明による防水性と透光性を有する情報装置はコネクター、電器ユニット、防水機構および外層を備える。
コネクターは端子に接続する差し込み部と、差し込み部まで延びるようにコネクターに配置され接続ユニットとを有し、かつ接続ユニットを端子に接続させて導通させることで伝送信号を提供することが可能である。
電器ユニットはコネクターに固定され、情報を保存可能な特性を有し、接続ユニットに接続する回路を有する。
防水機構はコネクターを被覆して電器ユニットの位置に接し、かつコネクターと接続ユニットと電器ユニットとの間の隙間を塞ぐ。
外層は防水ユニットを被覆し、かつコネクターにおける適当な位置まで延びて電器ユニット全体を被覆する。
【０００７】
上述の構造により防水機構はコネクターと電器ユニットとの間の隙間を塞ぐため浸水を防止することが可能であり、外層は電器ユニットを被覆するため水気浸入を防止することが可能であり、コネクターは差し込み部が端子に接続することで信号を伝送することが可能であるため、電器ユニットは高湿環境または水源のある環境に置かれても、正常通り保存を執行したり資料を送信したりすることが可能である。
【０００８】
またコネクターはＵＳＢである。
防水機構は熱伝導遮特性を有し、かつ本体から延びて電器ユニットを被覆する内膜層を有することで熱を遮断して電器ユニットを保護することが可能である。
電器ユニットは作動状態を表示可能な発光ユニットを有する。また防水機構が透明性を有し、本体から延びて電器ユニットを被覆するため、発光ユニットからの光源は防水機構を透過することが可能である。外層は適当な位置に透光ユニットを有する。透光ユニットは防水機構に接して発光ユニットからの光源を誘導して外側へ伝送することで使用者に電器ユニットの作動状態を観察させることが可能である。
【０００９】
防水カバーは端子の外周を被覆し、かつ外層周囲面に接合するように被せる延長部を有し、延長部と外層はそれぞれ接合箇所の適当な位置に水隔絶部位を有することで、互いに嵌合して位置決めし、浸水を隔絶可能な構造を構成する。
また外層はかけて携帯するための孔を有する。
コネクターは外周を被覆するための金属カバーを有し、かつ金属カバーが耐食性を有するため、長時間高湿または腐蝕環境下の使用に耐えられる。
【００１０】
本発明による防水性と透光性を有する情報装置は、コネクターと防水機構と外層により防水性を形成し、端子の防水カバーとコネクターと外層とを嵌り合わせることで浸水防止の機能を提供し、水気のある環境や酸性またはアルカリ性の環境の下で使用することを可能にして、また透明性と透光性を有し、防水性を形成する防水機構により光線ルートを誘導することで光線表示を誘導し、ユーザーに夜間作動状態を裸眼で観察させ、多元的な利便性を実現させて簡単に観察できるという効果を達成することを可能にするものである。
【発明を実施するための最良の形態】
【００１１】
図１、図２と図４に示すように、本発明による防水性と透光性を有する情報装置の一実施例はコネクター２０、電器ユニット３０、防水機構４０および外層５０から構成される。
コネクター２０は本体２１から比較的薄い段差の形状を延ばして差し込み部２２を形成する。図２に示すように本実施例のコネクター２０はＵＳＢであり、本体２１は差し込み部２２における適当な位置まで延びる多数の貫通孔２３を有する。図３に示すように、接続ユニットは多数の接続ピン２４から構成され、接続ピン２４は貫通孔２３を貫通する。また接続ピン２４は一端が差し込み部２２まで延び、他端が適当長さで突出している。金属カバー２５は本体２１と差し込み部２２の外周を被覆し、金属カバー２５と差し込み部２２の間には挿入空間２６を有する。かつ金属カバー２５はステンレス材質または表面処理済みの金属から製作され、酸性またはアルカリ性の腐蝕を防止する特性を有するため、長時間酸性またはアルカリ性の高湿環境下で腐蝕に耐えることが可能である。また、コネクター２０は適当なプラスチック工程により製作されるカバーで本体２１と差し込み部２２の外周を被覆することで酸性またはアルカリ性の高湿環境下での使用に適合し、腐蝕に耐えることも可能である。
【００１２】
電器ユニット３０は、図２に示すようにその一端がコネクター２０の接続ピン２４の突出している部位に接続するプリント回路板３１である。図３に示すようにプリン回路板３１は電気回路３２を有することで接続ピン２４に接続する特定回路３３に接続する。また電気回路３２は多数の電子ユニット３４に接続することで資料保存と資料伝送の機能を形成する。電子ユニット３４の発光ユニットは本実施例では発光ダイオード（ＬＥＤ）３５である。
【００１３】
防水機構４０は、図４と図５に示すように、透明な材質から製作され、熱伝導遮断性を有し、かつコネクター２０を被覆して電器ユニット３０の位置に接する防水層４１を有し、そして周囲面を被覆することで密封防水性を形成する。また接続ピン２４が貫通するコネクター２０の貫通孔２３に隙間４２が生じ、電器ユニット３０のプリント回路板３１とコネクター２０との間にも隙間４３が生じるため、図３と図４に示すように、防水層４１は隙間４２、４３を緊密に充填する隙間塞ぎ４４を有することで密閉防水性のある構造を構成する。図５に示すように、防水層４１から延びて形成する内膜層４５はプリンタ回路板３１、電気回路３２、特定回路３３と電子ユニット３４を被覆する。
【００１４】
外層５０は、プラスチックの射出成形により製作され、図１と図６に示すように防水層４１を被覆し、コネクター２０における適当な位置まで延びて、かつその前端に近いところに水隔絶部位を有する。水隔絶部位は、本実施例では周囲を囲む環状の凹溝５１である。また外層５０から延びて形成する嵌合部５２は電器ユニット３０全体を被覆する。図６に示すように、嵌合部５２はプリンタ回路板３１の適当な位置に対応しかつ内膜層４５と繋がる孔５３、５３'を有する。透光ユニット５４は孔５３、５３'のいずれか一つを充填する。また透光ユニット５４は透光性の材質から製作され、光線を誘導して透過させるルートを形成する。また嵌合部５２は末端に穿孔５５を有する。
【００１５】
本実施例による情報装置を組み立てる場合、図３、図４、図５と図６に示すように、まずコネクター２０の後端の段差部位と電器ユニット３０のプリンタ回路板３１を連接すると同時にコネクター２０の接続ピン２４を折り曲げて電器ユニット３０の特定回路３３に接続させてはんだ付けで固定する。続いてコネクター２０と電器ユニット３０に対しテストし、テストの結果が正常となった場合、コネクター２０と電器ユニット３０のプリンタ回路３１に防水機構４０を被せる。防水機構４０の材質は熱伝導遮断性を有する透明な材質である。続いて防水機構４０を液状にさせて接続ピン２４と貫通孔２３との間の隙間４２と本体２１とプリンタ回路板３１との間の隙間４３に注入する。防水機構４０により隙間４２、４３を塞ぐと密閉防水状態を呈する。続いて防水機構４０から延びて形成する内膜層４５により電器ユニット３０全体を被覆する。
【００１６】
また外層５０を製作する場合、まずコネクター２０と電器ユニット３０を同時に型に入れて二つの位置決めピンにより電器ユニット３０のプリント回路３１を支えて位置決めする。続いて所定の材質を型に注入して成型する。図１と図６に示すように外層５０はコネクター２０の一部分、防水機構４０と電器ユニット３０全体を被覆する。成型が完了した後、外層の位置決めピンの位置に透光ユニット５４を装着可能な孔５３が形成する。透光ユニット５４は発光ダイオード３５からの光源を外側へ誘導して伝送することでユーザーに電器ユニット３０の作動状態を観察させることが可能である。
【００１７】
上述の構造により本実施例の情報装置を使用する場合、コネクター２０と電器ユニット３０を連接して熱伝導遮断性と透明性を有する液状材質に浸して、電器ユニット３０を前述の液状材質に完全に浸すとコネクター２０の電器ユニット３０に接するところも前述の液状材質に完全に浸すと同時に、接続ピン２４とコネクター２０の貫通孔２３との間の隙間４２とプリンタ回路板３１とコネクター２０との間の隙間４３とともに隙間塞ぎ４４を一体成型して隙間４２、４３を緊密に充填する。図４に示すように、防水機構４０は一体成型であるためつなぎ目から水が漏れる恐れはない。したがって、電器ユニット３０は防水機構４０により完全に被覆され、防水状態を呈する。また防水機構４０によりコネクター２０と電器ユニット３０を被覆することで完全密閉防水の構造を構成することが可能である。
【００１８】
防水機構４０は熱伝導遮断性を有するため、プラスチックの射出成型で外層５０を製作する場合、外層５０は防水機構４０の隔絶作用を受けて熱伝導反応を大幅に低下させる。また防水機構４０により被覆されるコネクター２０の電器ユニット３０に接するところと電器ユニット３０全体は大部分の熱伝導を遮断することが可能である。電子ユニット３４は高熱の影響が免れられるため部品の特性を確保して機能の正常状態を維持することが可能である。したがって製品の品質を上回らせて製品の質を一致させるように維持することが可能である。
【００１９】
本実施例の電器ユニット３０の回路が通電する場合、発光ダイオード３５は点灯する。逆に通電していない場合、発光ダイオードは点灯しない。防水機構４０の透明性により発光ダイオード３５を内膜層４５に接触させる場合、図６に示すように内膜層４５が孔５３と透光ユニット５４と繋がるため、発光ダイオード３５は内膜層４５、透光ユニット５４を透過して光線伝送のルートを形成する。通電している発光ダイオード３５からの光線はこのルートを通してスムーズに伝送される。したがって、図１に示すようにユーザーは裸眼で発光ダイオード３５が通電しているか通電していないかを観察することが可能である。つまり裸眼で電器ユニット３０の作動状態をすばやく観察可能な機能を提供することが本実施例の特徴である。
【００２０】
現今の電子設備またはコンピューター設備などは様々な機械及び装備に汎用されている。かつこれらは通常様々な場所または環境の下で使用される。特に高湿や酸性またはアルカリ性の腐蝕液体か気体などに接触する劣悪な環境下で使用されることもあっても、自動機械と電子設備またはコンピューター設備とを組み合わせて使用する必要がある。かつ電子設備またはコンピューター設備には保存または伝送装置を使用する必要がある。これに対し、本実施例は防水機構４０によりコネクター２０と電器ユニット３０を被覆することで完全密閉防水の構造を構成し、またコネクター２０の金属カバー２５が酸性とアルカリ性の耐食という特性を有するためコネクター２０が電子設備またはコンピューター設備の端子に接続して使用されている場合、金属カバー２５が長時間高湿環境または腐蝕環境に置かれても耐食性を保持することを可能にして、また金属カバー２５を外側に露出することで保護層を形成し、完全密閉防水の構造である防水機構４０により、湿気を隔絶して酸性またはアルカリ性の腐食性を含有する薬剤が電器ユニット３０に浸入することを阻止することを可能にするため、プリンタ回路板３１、電気回路３２、特定回路３３と電子ユニット３４を保護して品質と正常な機能を確保することが可能である。
【００２１】
また本実施例は電器ユニット３０により発光ダイオード３５を光らせたり消えさせたりすることを制御し、内膜層４５の透光性により光線ルートを形成することで光線を透光ユニット５４から直接表示することが可能であるため、ユーザーは透光ユニット４５により光っているか消えているかを観察し、通電状態か非通電状態かほかの作動状態かを判断することが可能であるだけではなく、暗い環境でも明確に観察することが可能である。また本発明により電子設備またはコンピューター設備を広い環境または様々な環境下の使用に適合させることが可能であるため、ユーザーは裸眼で離れたところから電器ユニット３０が通電しているか通電していなかほかの作動をするかをすばやく観察することが可能である。
【００２２】
また本実施例は防水カバー６０により端子６１の外周を被覆することで図７に示すように完全密閉防水の構造を構成する。防水カバー６０は延長部６２を有し、延長部６２の内周面に周囲を囲む環状の突出部６３を有することで水隔絶部位を形成する。また防水カバー６０はコネクター２０に被せ、延長部６２と外層５０のコネクター２０に接するところを緊密に接ぎ合わせて密閉する。図８に示すように環状突出部６３と環状溝５１とを嵌り合わせて固定することで周囲を密閉する防水構造を構成する。
【００２３】
環状突出部６３と環状溝５１の突起状と凹み状により浸水を隔絶し、良好な防水作用を発揮することが可能である。またコネクター２０と防水機構４０により水気を隔絶して防水作用を発揮することも可能である。つまり防水カバー６０、外層５０の環状溝５１によりコネクター２０の端子６１により嵌合される部位を隔絶し、前述の防水作用により浸水防止の空間を形成し、かつコネクター２０の端子６１により嵌合される部位に良好な防水効果をもたらすため、水気がコネクター２０に被せる端子６１に浸入することを防止することが可能である。本実施例では防水カバー６０と外層５０とを嵌り合わせることで水中または戸外で使用しても雨水浸入を防止することが可能である。また海岸または水域で使用しても水気浸入防止という効果を達成することも可能である。
【００２４】
（産業上の実用可能性）
上述により、本発明による防水性と透光性を有する情報装置は、コネクターと防水機構と外層により防水性を形成し、かつ光線表示を誘導することを可能にして、コネクターと、コネクターと外層に嵌合する端子の防水カバーにより水気と酸性またはアルカリ性を有する環境下で使用することを可能にして、かつ夜間作動状態を裸眼で観察可能な機能を提供することで多元的な利便性を実現させて簡単に観察できるという効果を達成することを可能にするものであるため、工業上の使用にふさわしい。
【図面の簡単な説明】
【００２５】
【図１】本発明の一実施例による情報装置の概略を示す立体図である。
【図２】本発明の一実施例による情報装置のコネクターと電器ユニットを示す立体図である。
【図３】本発明の一実施例による情報装置のコネクターと電器ユニットを示す断面図である。
【図４】本発明の一実施例による情報装置のコネクターを被覆する防水機構と電器ユニットとを示す断面図である。
【図５】本発明の一実施例による情報装置の電器ユニット全体を被覆する防水機構の内膜層を示す断面図である。
【図６】本発明の一実施例による情報装置のコネクターを被覆する外層、電器ユニット及び防水機構を示す断面図である。
【図７】本発明の一実施例による情報装置の端子の防水カバーを示す断面図である。
【図８】本発明の一実施例による情報装置の端子の防水カバーとコネクターとの接合を示す断面図である。
【符号の説明】
【００２６】
２０  コネクター、３０  電器ユニット、４０  防水機構、５０  外層
【図１】
2006059367.tif 000003
【図２】
2006059367.tif 000004
【図３】
2006059367.tif 000005
【図４】
2006059367.tif 000006
【図５】
2006059367.tif 000007
【図６】
2006059367.tif 000008
【図７】
2006059367.tif 000009
【図８】
2006059367.tif 000010